(57)【要約】      （修正有）【課題】クリーニングが容易で、商品価値が低下しないキャラクターおよびマスコットクリーナーを新規に提供する。【解決手段】着せ替えを含む衣服を着用した人形、または動物の擬体、または雪だるまの擬体、またはリンゴの擬体にて形成するキャラクターおよびマスコットにかくしクリーナーとして、該キャラクターおよびマスコットの底部に返し口５を設け、該返し口より表皮２を返し出しすることによりひっくり返しクリーナー４ａ，４ｂを形成し、または該衣服の前身頃の内側に服裏クリーナーを形成し、または衣服にポケットを設け、該ポケットより出し入れするハンカチクリーナーを形成し、または背面の上下に指入れ穴を設け、該指入れ穴に指入れした指にて挟み拭きする断面Ｖ形の挟み拭きクリーナーのいずれかを設けてマスコットクリーナーを構成する。【選択図】図２
0003150783.tif 000002
【実用新案登録請求の範囲】
【請求項１】
キャラクターおよびマスコットにかくしクリーナーとして、返し口より返し出しするひっくり返しクリーナー，着せ替えを含む着用服の開き出しによる服裏クリーナー，ポケットから出し入れするハンカチクリーナーおよび断面Ｖ形の挟み拭きクリーナーのいずれかを設けたことを特徴とするキャラクターおよびマスコットクリーナー。
【請求項２】
ハンカチクリーナーは一端をポケットに止着する請求項１に記載のキャラクターおよびマスコットクリーナー。
【請求項３】
キャラクターまたはマスコットに吊り下げ用のストラップを取り付ける請求項１また２に記載のキャラクターおよびマスコットクリーナー。
【考案の詳細な説明】
【技術分野】
【０００１】
この考案は、人形，動植物の擬体などにて形成するキャラクターおよびマスコットにメガネ，携帯電話器などの身の廻り器具をクリーニングするクリーナーをかくし設けたことに関するものである。
【背景技術】
【０００２】
この種のクリーナーとしては特開２００２−３５５１１３号公報、特開２００３−８７２１号公報がある。これらの考案はストラップの付いた動物等のぬいぐるみの表側にクリーナーを形成している。
【先行技術文献】
【特許文献】
【０００３】
【特許文献１】特開２００２−３５５１１３号公報
【特許文献２】特開２００３−８７２１号公報
【考案の概要】
【考案が解決しようとする課題】
【０００４】
しかしながら、ぬいぐるみは物によっては凹凸が多となるため、表側のクリーナーは、この凹凸によってクリーニングが容易でなく、また拭き汚れによってぬいぐるみは商品価値を急速に低下させるという課題があった。
【課題を解決するための手段】
【０００５】
本考案は、キャラクターおよびマスコットにかくしクリーナーとして、返し口より返し出しするひっくり返しクリーナー，着せ替えを含む着用服の開き出しによる服裏クリーナー，ポケットから出し入れするハンカチクリーナーおよび断面Ｖ形の挟み拭きクリーナーのいずれかを設けて、かかる課題を解決するようにしたのである。
【考案の効果】
【０００６】
本考案は、キャラクター，マスコットの内部にクリーナーを設けたので、クリーナー付きにかかわらず、キャラクター，マスコットはクリーナーがかくれて見栄えを良好に保つことができるという効果を生ずる。
またキャラクター，マスコットは、クリーニングしても汚れないで商品価値を長時間良好に維持するという効果を生ずる。
【０００７】
服裏クリーナーは着せ替えすることで新しくすることができ、しかも着せ替えによってキャラクター，マスコットに色違い，柄違いの新しい装いを持たせることができるという効果を生ずる。
【０００８】
ひっくり返しクリーナー，服裏クリーナー，ハンカチクリーナー，挟み拭きクリーナーはいずれも凹凸がないので、クリーニングがしやすいという効果を生ずる。
【図面の簡単な説明】
【０００９】
【図１】第１実施例のストラップ付きクリーナーの１例を示す斜視図
【図２】同、（ａ）乃至（ｃ）はひっくり返しクリーナーの返し出し順を示す斜視図
【図３】クリーニングの使用状態例を示す斜視図
【図４】キャラクターおよびマスコットの造形例を示す斜視図
【図５】（ａ）は服裏クリーナーの実施例を示すもので、（ｂ）は前身頃を開いて服裏クリーナーを表出させた状態を示す斜視図
【図６】（ａ）はポケットからハンカチクリーナーを出した状態の斜視図、（ｂ）はハンカチクリーナーの一端をポケットに止着した他の例を示す斜視図
【図７】挟み拭きクリーナーの使用状態を示す斜視図
【考案を実施するための形態】
【００１０】
本考案は、キャラクターおよびマスコットにかくしクリーナーとして、返し口より返し出しするひっくり返しクリーナー，着せ替えを含む着用服の開き出しによる服裏クリーナー，ポケットから出し入れするハンカチクリーナーおよび断面Ｖ形の挟み拭きクリーナーのいずれかを設けて形成して、いずれかのかくしクリーナーを用いて、メガネ，携帯電話器，手鏡，パソコン，テレビなどの見の廻り器具をクリーニングするのである。
クリーニングを終えたあとはクリーナーを元に戻しかくすのである。
【実施例１】
【００１１】
図１乃至図３は第１実施例を示すもので、スポンジ，人造棉などの弾力素材にてなる球体１を表皮２にて包んでキャラクターまたはマスコット３を形成する。以下キャラクター３にて説明する。表皮２の底部に直線切込形をした返し口５を設ける。６はキャラクター３の頂部に取付けた吊り下げ用のストラップである。
【００１２】
メガネなどの身の廻り器具７をクリーニングするときは、返し口５より図２（ａ）〜（ｃ）に示すように表皮２を半分ほど返し上げして表皮２の内面と球体１の外面の下半とにてリンゴ形をしたひっくり返しクリーナー４ａ，４ｂにしてクリーニングをするのである。ひっくり返しクリーナー４ａ，４ｂは凹凸のないひとつの曲面形となるのでクリーニングがしやすいものとなる。クリーニングを終えたら表皮２を元に戻すのである。
【００１３】
クリーナー４ａ，４ｂは起毛綿布あるいはポリエステルの極細フィラメントで織成された布などにて形成する。極細フィラメントの径・間隙が被クリーニング面に付着したホコリ・油分の大きさに近いことと、極細によって繊維の表面積が大きくなることにより、ホコリ、油分等を効率良く拭き取ることができるものとなる。また導電性繊維よりなる糸を混入することによって携帯電話器の表示画面等に帯電する静電気を放電除去してホコリの付着を予防するようにすることもできる。
なお表皮２は弾力のある球体１に緊張包皮していることで、返し口５より容易に返し上げすることができて戻り下がりすることがない。また表皮２に伸縮性を持たせて返し上げを一層容易にすることもある。返し口５は直線切込形にかえてゴム，紐などにより閉じ開きする巾着形にすることもある。
【００１４】
図４はキャラクター３の造形例の一部を示すもので、着せ替えを含んで衣服を着用させた小形人形，動物の擬体，果物などの擬体，テニスボールなどの運動具の擬体，雪だるま擬体などにて形成する。
【実施例２】
【００１５】
図５はキャラクター３にかくしクリーナーとして服裏クリーナー８ａ，８ｂを形成した例を示している。
キャラクター３は衣服９を着用した小人形であって、衣服９は前身頃９ａ，９ｂの内側に服裏クリーナー８ａ，８ｂを設けている。前身頃の一方または双方を前開きすると服裏クリーナー８ａ，８ｂが表出してクリーニングすることができる。服裏クリーナーは衣服９をぬがせてクリーニングすることもできる。
この際衣服９を色違い柄違いなどの着せ替え形にすると、１，２回クリーニングした点で着せ替えすることでクリーナー８ａ，８ｂを新しくすることができる。またキャラクター３も新鮮になる。
【実施例３】
【００１６】
図６は人形タイプのキャラクター３の衣服９にポケット１０を設け、ポケット１０からハンカチクリーナー１１を出し入れするようにした例を示している。ポケット１０はホック１０ａなどにて閉じるようにすることもできる。ハンカチクリーナー１１の一端をポケット１０に止着しておくと、ポケット１０から取出してもハンカチクリーナー１１は脱落することがないものとなる。ポケット１０は衣服９以外の個所に設けることもある。
【実施例４】
【００１７】
図７はキャラクター３に断面Ｖ形の挟み拭きクリーナー１２を設けた例で、キャラクター３の背面の上下に指入れ穴１３ａ，１３ｂを設けて、指入れした指にて挟み拭きクリーナー１２を開閉して挟みきするのである。
【産業上の利用可能性】
【００１８】
本考案は、吊り下げ用のストラップ付きのキャラクター，マスコットにかくしクリーナーとして凹凸のないクリーナーを設けるようにして、キャラクター，マスコットを汚さず見栄えを良好に維持させつつ、メガネ等の身の廻り器具をクリーニングすることができることで、広く利用されるものである。
【符号の説明】
【００１９】
１は球体
２は表皮
３はキャラクター
４ａ，４ｂはひっくり返しクリーナー
５は返し口
６は吊り下げ用のストラップ
７はメガネ，携帯電話器，手鏡，パソコン，テレビ等の身の廻り器具
８ａ，８ｂは服裏クリーナー
９は着せ替えを含む衣服
９ａ，９ｂは前身頃
１０はポケット
１０ａはホック
１１はハンカチクリーナー
１２は挟み拭きクリーナー
１３ａ，１３ｂは指入れ穴
【図１】
0003150783.tif 000003
【図２】
0003150783.tif 000004
【図３】
0003150783.tif 000005
【図４】
0003150783.tif 000006
【図５】
0003150783.tif 000007
【図６】
0003150783.tif 000008
【図７】
0003150783.tif 000009
【手続補正書】
【提出日】平成21年3月17日(2009.3.17)
【手続補正１】
【補正対象書類名】実用新案登録請求の範囲
【補正対象項目名】全文
【補正方法】変更
【補正の内容】
【実用新案登録請求の範囲】
【請求項１】
着せ替えを含む衣服を着用した人形、または動物の擬体、または雪だるまの擬体、またはリンゴの擬体にて形成するキャラクターおよびマスコットにかくしクリーナーとして、該キャラクターおよびマスコットの底部に返し口を設け、該返し口より表皮を返し出しすることによりひっくり返しクリーナーを形成し、または該衣服の前身頃の内側に服裏クリーナーを形成し、または衣服にポケットを設け、該ポケットより出し入れするハンカチクリーナーを形成し、または背面の上下に指入れ穴を設け、該指入れ穴に指入れした指にて挟み拭きする断面Ｖ形の挟み拭きクリーナーのいずれかを設けたことを特徴とするキャラクターおよびマスコットクリーナー。
【請求項２】
ハンカチクリーナーは一端をポケットに止着する請求項１に記載のキャラクターおよびマスコットクリーナー。
【請求項３】
キャラクターおよびマスコットに吊り下げ用のストラップを取り付ける請求項１または２に記載のキャラクターおよびマスコットクリーナー。
【手続補正２】
【補正対象書類名】明細書
【補正対象項目名】００１０
【補正方法】変更
【補正の内容】
【００１０】
本考案は、キャラクターおよびマスコットにかくしクリーナーとして、返し口より返し出しするひっくり返しクリーナー，着せ替えを含む着用服の開き出しによる服裏クリーナー，ポケットから出し入れするハンカチクリーナーおよび断面Ｖ形の挟み拭きクリーナーのいずれかを設けて形成して、いずれかのかくしクリーナーを用いて、メガネ，携帯電話器，手鏡，パソコン，テレビなどの身の廻り器具をクリーニングするのである。
クリーニングを終えたあとはクリーナーを元に戻しかくすのである。